(57)【要約】      （修正有）【課題】簡単な構造でキャップとペン本体を結合・キャップ分離の際にペン本体が同時に引き出されることができる携行用ペンを提供する。【解決手段】携行用ペンは、使用の際にペン本体２０の長さを伸ばすための別の動作が省略されるよう、キャップ４０を分離する動作だけでキャップ４０の分離と同時にペン本体２０の長さが延長でき、使用上の便宜性が高くなり大変便利である。非常に簡単な構造であり、キャップ４０の紛失を防止できる二重構造で安全性を確保することができる。その上、製品の成形構造が非常に簡単・簡略になり部品数が減少されるので製造原価の節減されることができるなどの利点がある。【選択図】図１
0003145157.tif 000002
【実用新案登録請求の範囲】
【請求項１】
多段の単位シリンダー（２１）（２２）及び上記の多段の単位シリンダー（２１）（２２）からの引き出し及び内側に挿入可能、先端にタッチ用チップ（２４）を持つロード（２３）で構成され、上記のロード（２４）が挿入及び引き出しされながら同時に長さが調節されるペン本体（２０）と；
上記のペン本体（２０）の上端に挿入固定されるリング、棒、スティックなどに装着・脱が可能に具備された輪状の掛け口（３０）と；
長さが調節により短くなった上記のペン本体（２０）を覆うために上記のペン本体（２０）に装着・脱ができ、先端に掛け紐（４１）が具備されたキャップ（４０）（１０１）と；
上記のキャップ（４０）内側に収容・固定され、上記のペン本体（２０）の先端まわりに支えられて上記のキャップ（４０）の分離の際に上記のペン本体（２０）の長さを同時に延長させる引出し便（５０）（６０）（７０）（８０）（１００）を含んで構成され；
上記の単位シリンダー（２１）（２２）の中で最上部の単位シリンダー（２１）の内側に外側方向に弾性維持され、両側に位置されるテンション突起（２５）が具備されてあり、上記のキャップ（４０）の両側に結合穴（４０ａ）が形成されてあるので、上記のテンション突起（２５）が上記の結合穴（４０ａ）に装着・脱されることによって、上記のキャップ（４０）が上記のペン本体（２０）に結合及び分離することを特徴にする携行用ペン。
【請求項２】
第１項において、
上記の引出し便（５０）は上記のキャップ（４０）の形象と同一の円筒形に形成され、その内径が上記のロード（２３）の先端に密着維持されることを特徴にする携行用ペン。
【請求項３】
第１項において、
上記の引出し便（６０）は上記のキャップ（４０）の形象と同一の円筒形に形成され、その下端の円周に沿って形成され、内向突出されて上記のロード（２３）の先端まわりに維持される装着・脱のための突出部（６０ａ）を持つことを特徴にする携行用ペン。
【請求項４】
第１項において、
上記の引出し（７０）便は上記のキャップ（４０）の長さ方向に沿って折り曲がるよるに形成されてクリップ形態に形成されて、その下端に内向突出されて上記のロード（２３）の先端まわりに維持される装着・脱のための突出部を持つことを特徴にする携行用ペン。
【請求項５】
第１項において、
上記の引出し便（８０）は上記のキャップ（４０）の形象と同一の円筒形に形成され、周りの片側または両側に長さ方向に切開される切開部（８０ａ）が形成されてあることを特徴にする携行用ペン。
【請求項６】
第４項において、
クリップ形態の上記の引出し便（７０）の上端まわりに上記の装着・脱突起（７０ａ）が弾性的に内側に向け、上記のロード（２３）の支持ホム（２３ａ）にもっと弾性的に支持されるように弾性バンド（９１）が具備されてあることを特徴にする携行用ペン。
【請求項７】
内側の下部に固定部（１０１ａ）が形成されるキャップ（１０１）と；
上端まわりに装着・脱突出部（１００ａ）を持ち、上記のキャップ（１０１）の内側に収容されて上記の固定部（１０１ａ）の上端に下端が固定される引出し便（１００）を含んで構成されることを特徴にする携行用ペン。
【考案の詳細な説明】
【技術分野】
【０００１】  本考案は携行用ペンに関することであり、特に蓋の装着・脱が容易くて、ペン本体の長さがキャップを分離するのと同時に伸ばすことができる携行用ペンに関することである。
【背景技術】
【０００２】  一般的に個人携帯端末機（Ｐｅｒｓｏｎａｌ  Ｄｉｇｉｔａｌ  Ａｓｓｉｓｔａｎｔ）には相手と音声を送受信するための基本的な機能以外にも、インターネット機能や文字情報・グラフィック等を処理することができる多様な機能が搭載されてあり、このような機能の付加とともに器機の軽量化・小型化の成り行きによって別途のキーパッドが必要ないタッチスクリーン方式や音声入力方式を取り入れて使っている。【０００３】  その中で、タッチスクリーン方式の端末機を操作するために使用されるのが携行用ペンである。携行用ペンは筆記用具のような形象に形成され、端部に情報の入出力のためのチップが形成されてある。【０００４】  このような携行用ペンは、多様な構造の様々な携行用ペンが使用されている。蓋の分離と同時にピストンロードが引き出される携行用ペンが大韓民国特許出願１０−２００５−０１０６０１０号、ワンタッチ開閉携行用ペンが考案された事があり、  これはピストンロードが蓋の分離と同時に引き出されることができる構造に特徴がある。蓋は本体の先端部が収容される円筒形の中間ギャップと上記の中間ギャップに結合され輪状掛け口が装着される上ギャップで構成される。上記の中間ギャップは開口部の内部に半径が弾力的に伸縮される第１部分と、上記の第１部分から離れてある位置の内部に半径が弾力的に伸縮される第２部分が具備される。上記の本体のチップ附載には上記の第２部分が具備され、上記の本体のチップ附載には上記の第２部分が弾力装着できる固定ホムが形成される。上記のシリンダーの入口に、上記のピストンロードが挿入・貫通されて外周面に上記の第１部分に対応する固定ホムが形成されたフクブシングがねじ結合されて構成される。【０００５】  このような従来のワンタッチ開閉携行用ペンは、蓋が結合されるワンタッチ式でピストンロードを引き出す構造が非常に複雑であり、それによる部品数の増加・各部品を製作するための金型設備による製造原価が上昇される問題があった。【０００６】  また、複雑な構造によって各部品を組み立てて生産するにも長時間がかかるので、生産性が低下される問題があった。
【考案の開示】
【考案が解決しようとする課題】
【０００７】  上述した問題を解決するための本考案の目的は、簡単な構造でキャップとペン本体を結合・キャップ分離の際にペン本体が同時に引き出されることができる携行用ペンを提供する事である。
【課題を解決するための手段】
【０００８】  上述した目的を果たすための本考案携行用ペンは、多段の単位シリンダー及び上記の多段の単位シリンダーからの引き出し及び内側に挿入可能、先端にタッチ用チップを持つロードで構成され、上記のロードが挿入及び引き出しされる際に同時に長さが調節できるペン本体と；上記のペン本体の上端に挿入固定されるリング、棒、スティックなどに装着・脱が可能に具備された輪状の掛け口と；長さの調節により短くなった上記のペン本体を覆うために、上記のペン本体に装着・脱ができ、先端に掛け紐が具備されたキャップと；
上記のキャップ内側に収容・固定され、上記のペン本体の先端まわりに支えられ、上記のキャップの分離の際に上記のペン本体の長さを同時に延長させる引出し便を含んで構成されることを特徴にする。【０００９】  本考案携行用ペンの他の特徴は、上記の単位シリンダーの中で最上部の単位シリンダーの内側に外側方向に弾性支持され、両側に位置されるテンション突起が具備されてあり、上記のキャップの両側に結合穴が形成されてあるので、上記のテンション突起が上記の結合穴に装着・脱されることによって、上記のキャップが上記のペン本体に結合及び分離することができるのを特徴にする。【００１０】  又、本考案携行用ペンの特徴は、上記の引出し便は上記のキャップの形象と同一の円筒形に形成であり、その内径が上記のロードの先端の外径に密着支持されることを特徴にする。【００１１】  又、上記の引出し便は上記のキャップの形象と同一の円筒形に形成され、その下端の円周に沿って形成され、内向突出されて上記のロードの先端まわりに支持される装着・脱突出部を持つことを特徴にする。【００１２】  又、上記の引出し便は上記のキャップの長さ方向に沿って折り曲がるように形成されてクリップ形態に形成され、その下端に内向突出されて上記のロードの先端まわりに支持される装着・脱突出部を持つことを特徴にする。【００１３】  又、上記のキャップの片側または両側に長さ方向に切開される切開部が形成されてあることを特徴にする。
【考案の效果】
【００１４】  本考案による携行用ペンは、使用の際にペン本体の長さを伸ばすための別の動作が省略されるよう、キャップを分離する動作だけでキャップの分離と同時にペン本体の長さが延長でき、使用上の便宜性が高くなり大変便利である。非常に簡単な構造であり、キャップの紛失を防止できる二重構造で安全性を確保することができる。その上、製品の成形構造が非常に簡単・簡略になり部品数が減少されるので製造原価の節減されることができるなどの利点がある。
【００１５】  又、装着・脱レバーが付いてある輪状の掛け口があるので、ネックレスに簡単にかけて携帯することができるし、カバンのファスナや掛けがねなどにも簡単にかけて携帯することもできるので、携帯性がもっと増大する利点もある。
【考案の実施のための最良の形態】
【００１６】  以下、添付された図面を参照して本考案の具体的な実施例を詳しく説明する。
【実施例】
【００１７】  図１は本考案携行用ペンの構成を表す分離図面で、図２は図１の結合図面であり、図３は図１の結合断面図である。【００１８】  本考案は図１または図３に現わしたようにペン本体（２０）、輪状掛け口（３０）、キャップ（４０）、引出し便（５０）で大きく仕分けられる。【００１９】  まずは、ペン本体（２０）は、多段の単位シリンダー及びロード（２３）すなわち、第１シリンダー（２１）及び第２シリンダー（２２）、ロード（２３）で構成される。【００２０】  第１シリンダー（２１）はペン本体（２０）の最上部を構成し、内側にある外側方向のスプリング（２６）によって弾性支持されて両側に位置されるテンション突起（２５）が具備される。【００２１】  第２シリンダー（２２）は上記の第１シリンダー（２１）の直径より小さな直径で、上記の第１シリンダー（２１）の内側で挿入及び引き出される。【００２２】  それで、上記のロード（２３）はその先端にタッチ用チップが具備され、第２シリンダー（２２）の内側で挿入及び引出しされ先端まわりには支持ホム（２３ａ）が形成される。【００２３】  これによって、普段はペン本体（２０）が多段に挿入され長さが短くなった状態でキャップ（４０）と結合された状態で保管ができ、使用の際には多段に引き出され長さが長くなり使用者が便利に使用することができる。【００２４】  輪状掛け口（３０）は、上記の第１シリンダー（２１）の開放された上端に挿入されて固定され、片側に下部の中央部を中心軸にして弾力的に動きながら、押し及び復元できる装着・脱レバー（３１）が具備される。【００２５】  これは使用の際に、装着・脱レバー（３１）をリング、棒、スティックなどにかけておくことが可能である。【００２６】  キャップ（４０）は、上記のペン本体（２０）の長さが短くなった状態で上記のペン本体（２０）に結合される。
上記のキャップ（４０）の両側には上記のテンション突起（２５）と結合できる結合穴（４０ａ）が形成されてあり、これによって上記の第１シリンダー（２１）に具備されたテンション突起（２５）が上記の結合穴（４０ａ）に装着・脱ができ、上記のキャップ（４０）は上記のペン本体（２０）に簡便に結合及び分離できる。【００２７】  それで、そのキャップ（４０）の先端には内側で結び目で固定されてある外側に引出された紐（４１）が具備されてあり、この紐は個人携帯端末機（図面なし）に結束可能である。【００２８】  引出し便（５０）は、上記のキャップ（４０）の内側に収容されるように構成され、キャップと一体になってあり、上記のキャップ（４０）の形象と同様な円筒形に形成されてある。【００２９】  そして、上記のペン本体（２０）の先端まわり、すなわち、上記のロード（２３）の外径にその内径が密着支持され、これによって上記のキャップ（４０）の分離の際に、上記の引出し便（５０）が一緒に分離され、引出し便（５０）に上記のロード（２３）の先端が結合された状態で同時に引き出されるので、上記のペン本体（２０）の長さが延長される。【００３０】  このような構成の本考案携行用ペンは、ペン本体（２０）とキャップ（４０）が結合され、上記のペン本体（２０）が上記のキャップ（４０）の内側に収容された状態で、ペン本体（２０）の上部の輪状掛け口（３０）を別のネックレスなどにかけて簡便に携帯するとか、もしくは、個人携帯端末機にキャップ（４０）の先端に具備されてある紐（４１）を利用して結束して携帯することもできる。【００３１】  このように個人携帯端末機とともに携帯しながら個人携帯端末機の操作のために使用する際に、ペン本体（２０）からキャップ（４０）を分離して使用する。【００３２】  すなわち、ペン本体（２０）両側のテンション突起（２５）を押しながらキャップ（４０）を引っ張ると、キャップ（４０）がペン本体（２０）から簡便に分離できる。【００３３】  その時、キャップ（４０）を引っ張ると、キャップ（４０）の内側の引出し便（５０）がペン本体（２０）のロード（２３）先端に結合された状態を維持しながら引っ張られ、ロード（２３）が引出し便（５０）に沿って引かれながら、ロード（２３）が第２シリンダー（２２）から引き出され、第２シリンダー（２２）が第１シリンダー（２１）から引き出される。図４のように、ペン本体（２０）の長さが同時に延長され、キャップ（４０）をペン本体（２０）から完全に分離すれば、ペン本体（２０）の長さが完全に延長された状態になる。【００３４】  このようにキャップ（４０）を分離することと同時に長さが延長されたペン本体（２０）を使って個人携帯端末機を操作することができる。【００３５】  したがって、キャップ（４０）を分離する動作だけでペン本体（２０）の長さが同時に延長されるので、キャップ（４０）を分離した後に、再びペン本体（２０）の長さを延長させる動作が省略されて使用上の便宜性が高くなる。【００３６】  一方、個人携帯端末機の操作が終わった後には、最初のようにキャップ（４０）をペン本体（２０）に結合して輪状掛け口（３０）または紐（４１）を使って携帯する。【００３７】  すなわち、��ン本体（２０）の長さが延長されてある状態で、キャップ（４０）をロード（２３）の先端に対応させた後、キャップ（４０）をロード（２３）側の方に押せば、キャップ（４０）の内側の引出し便（５０）がロード（２３）の先端に強制的に結合されて、引き続いて押すとロード（２３）が第２シリンダー（２２）の内側に挿入されて、第２シリンダー（２２）が第１シリンダー（２１）の内側に挿入され、ペン本体（２０）の長さが最短になると同時に、キャップ（４０）の開放された上端が上記の第１シリンダー（２１）両側にあるテンション突起（２５）を押しながら挿入され、もっと押すと上記のテンション突起（２５）がキャップ（４０）の結合穴（４０ａ）に挟まれた後、弾力的に復元されて結合穴（４０ａ）に結合される。【００３８】  したがって、使用の後にもペン本体（２０）の長さを縮めるのに別途の動作が必要なく、キャップ（２０）を押す動作だけで、延長されたペン本体（２０）の長さを縮めると同時にキャップ（４０）の結合が完了できる。【００３９】  このような本考案携行用ペンは上述したように使用上の便宜性が高く、上記の引出し便（５０）が上記のロード（２３）に簡単に結合される構造と、上記のキャップ（４０）が上記のテンション突起（２５）に簡単に結合される構造になっているので、従来の技術より簡単な構造であり、キャップ（４０）の紛失を防止する二重構造で安全性までを確保することができる。その上、従来の製品よりは製品の成形構造が非常に簡略になり部品の数が減少されるので、製造原価が節減できる。【００４０】  又、装着・脱レバー（３１）が付いてある輪状掛け口（３０）が具備されてあるので、ネックレスに簡単にかけて携帯することができるし、又は、かばんのファスナ又は掛けがねなどにも簡単につけて携帯することもできる。したがって、携帯性がもっと高くなる。【００４１】  図５及び図６は本考案携行用ペンの他の実施例を表した図面及び断面図であり、上記の引出し便（６０）が上記のキャップの形象と同様に円筒形に形成され、その下端に円周に沿って形成されながら内向に突出されて上記のロード（２３）の先端まわり、すなわち、支持ホム（２３ａ）に支持される装着・脱部（６０ａ）が形成されるように具備されることもできる。これは、上記の装着・脱部（６０ａ）が上記の支持ホム（２３ａ）に支持された状態で上記のキャップ（６０）の分離及び結合の際に、上記のロード（２３）を上記の第２シリンダー（２２）から引き出すし又は挿入することができる。その效果は上述したのと同一である。【００４２】  図７は本考案携行用ペンのまた他の実施例を表した図面で、上記の引出し便（７０）が上記のキャップ（４０）の長さ方向に沿って折り曲がってＵ字形象のクリップ形態に形成され、その下端に内向突出されて上記のロード（２３）の先端まわり、すなわち、ロード（２３）の支持ホム（２３ａ）に支持される装着・脱突起（７０ａ）が上記の支持ホム（２３ａ）に支持された状態で上記のキャップ（４０）の分離及び結合の際に、上記のロード（２３）を上記の第２シリンダー（２２）から引き出し又は挿入することができる。その效果は上述したのと同一である。【００４３】  図８は本考案携行用ペン��また他の実施例を表した図面で、上記の引出し便（８０）は上記のキャップ（４０）の形象と同様に円筒形に形成され、まわりの片側または両側の長さ方向に切開部（８０ａ）が形成されることもでき、これによって上記のロード（２３）との結合が容易くなる。その效果は上述したのと同一である。【００４４】  図９は本考案携行用ペンの他の実施例を表した図面で、クリップ形態に具備された上記の引出し便（７０）の上端まわりの上記の装着・脱突起（７０ａ）が弾性的に内側を向けるようにして上記のロード（２３）の支持ホム（２３ａ）にもっと弾性的に支持されるように弾性バンド（９１）が具備されることもできる。これは上記のロード（２３）と結合の際に、上記の弾性バンド（９１）によって弾性があるように内側を向ける上記の装着・脱突起（７０ａ）が上記のロード（２３）の外周に弾性的に支持されながら外側に広がり、上記のロード（２３）の支持ホム（２３ａ）に対応する際にまたも内側の方に弾性的に縮み、これによって上記の引出し便（７０）が上記のロード（２３）の先端にもっと堅固に結合することができるようになる。その效果は上述したのと同一である。【００４５】  図１０は本考案携行用ペンの他の実施例を表した断面図で、内側の下部の内壁から中央側に延長される固定部（１０１ａ）が形成されるキャップ（１０１）と；上端まわりに装着・脱突出部（１００ａ）を持ち、上記のキャップ（１０１）の内側に収容されて上記の固定部（１０１ａ）の上端に下端が固定される引出し便（１００）を含んで構成されることもできる。【００４６】  このような本考案携行用ペンは、上記の引出し便（１００）を上記のキャップ（１０１）の内側に収容し一体で構成されてあるので、製作する方法が非常に簡便になる。【００４７】  すなわち、上記の引出し便（１００）の下端に接着剤などを塗布し、上記のキャップ（１０１）の固定部（１０１ａ）上端に密着させた後に、上記の接着剤が固まれば上記の引出し便（１００）が上記のキャップ（１０１）の内側に収容されて簡便に一体で構成されることができる長所があり、上述した效果がある。
【図面の簡単な説明】
【００４８】
【図１】本考案携行用ペンの構成を  表す分離図面。
【図２】図１の結合図面。
【図３】図１の結合断面図。
【図４】本考案携行用ペンによる  ペン本体が引き出される状態を表す断  面図。
【図５】本考案携行用ペンの他の実施例を表した図面及び部分拡大断面図。
【図６】本考案携行用ペンの他の実施例を表した図面及び部分拡大断面図。
【図７】本考案携行用ペンのまた他の実施例を表した図面。
【図８】本考案携行用ペンのまた他の実施例を表した図面。
【図９】本考案携行用ペンの他の実施例を表した図面及び断面図。
【図１０】本考案携行用ペンの他の実施例を表した図面及び断面図。
【符号の説明】
【００４９】２０  ペン本体
２１  第１シリンダー
２２  第２シリンダー
２３  ロード
２４  タッチ用チップ
２５  テンション突起
２６  スプリング
３０  輪状掛け口
３１  装着・脱レバー
４０、１０１  キャップ
４０ａ  結合穴
５０、６０、７０，８０，１００  引出し便
【図１】
0003145157.tif 000003
【図２】
0003145157.tif 000004
【図３】
0003145157.tif 000005
【図４】
0003145157.tif 000006
【図５】
0003145157.tif 000007
【図６】
0003145157.tif 000008
【図７】
0003145157.tif 000009
【図８】
0003145157.tif 000010
【図９】
0003145157.tif 000011
【図１０】
0003145157.tif 000012